(57)【要約】【課題】インキを含浸したパッドの変形を防止することができ、また新しいパッドとの交換作業も簡単に行うことができるスタンプ台を提供する。【解決手段】基台１と、この基台表面の平面部１ａに着脱自在に載置されるインキを含浸したパッド３とを有するスタンプ台であって、前記平面部１ａの、前記パッド３の左右側面の対向位置に前記パッド３の左右側面を支える支持手段４を設けた。前記基台表面の平面部１ａに、パッドの前端面を支える支持手段４が設けられているのや、基台表面の平面部１ａに、パッドの下方部を収納可能な凹部５が形成されているのが好ましい。また、平面部１ａを覆う蓋体２を有しており、この蓋体２の裏面に、パッド３の前端面および後端面を支えるリブ７が形成されているのが好ましい。【選択図】図１
2020124809.tif 000002
【特許請求の範囲】
【請求項１】
基台と、この基台表面の平面部に着脱自在に載置されるインキを含浸したパッドとを有するスタンプ台であって、前記平面部の、前記パッドの左右側面の対向位置に前記パッドの左右側面を支える支持手段を設けたことを特徴とするスタンプ台。
【請求項２】
基台表面の平面部に、パッドの前端面を支える支持手段が設けられている請求項１に記載のスタンプ台。
【請求項３】
支持手段には、更に内側に向けて水平鍔部が設けられている請求項１または２に記載のスタンプ台。
【請求項４】
基台表面の平面部に、パッドの下方部を収納可能な凹部が形成されている請求項１〜３のいずれかに記載のスタンプ台。
【請求項５】
平面部を覆う蓋体を有しており、この蓋体の裏面に、パッドの前端面および後端面を支えるリブが形成されている請求項１〜４のいずれかに記載のスタンプ台。
【請求項６】
パッドの裏面に、薄板状のプレートが貼り付けられている請求項１〜５のいずれかに記載のスタンプ台。
【発明の詳細な説明】
【技術分野】
【０００１】
本発明は、インキを含浸したパッドの変形を防止することができ、また新しいパッドとの交換作業も簡単に行うことができるスタンプ台に関するものである。
【背景技術】
【０００２】
従来からスタンプ分野では、ゴム印などにインキを補充するスタンプ台として、インキを含浸したパッドを利用したものが広く使用されている。このようなスタンプ台では、長期間使用しているとインキがなくなって鮮明な捺印ができなくなるため、インキが含浸された新しいパッドに交換する必要がある。
【０００３】
そこで、交換可能なインキ含浸パッドを有するスタンプ台として、例えば特許文献１に示されるように、基台表面の平面部にインキ含浸パッドを着脱自在に載置する構造のスタンプ台が提案されている。この特許文献１に記載のスタンプ台では、パッドの裏面にプレートが接着一体化されていて、このプレートに形成した突片を基台に形成した凹みに嵌合して平面部に装着する構造となっている。
【０００４】
しかしながら、特許文献１に記載のスタンプ台の場合は、基台表面に露呈しているパッドの側面に支えがないため、印判を押し付けた時にパッド側面が斜めに崩れるように変形して操作性が悪いという問題があった。また、突片と凹みの嵌合が煩雑でパッドの交換作業がやり難いという問題や、交換の際にインキが手に付着して煩わしいという問題があった。更には、パッドとプレートは接着剤で固定されて厚みがあるため、スタンプ台の厚みが増すという問題もあった。
【先行技術文献】
【特許文献】
【０００５】
【特許文献１】特許第３２４９１２８号公報
【発明の概要】
【発明が解決しようとする課題】
【０００６】
本発明は上記のような従来の問題点を解決して、印判を押し付けた時にパッド側面が斜めに崩れるように変形することがなく優れた操作性を発揮することができ、またパッドの交換作業時において手にインキが付着することもなく、しかも交換作業を簡単かつ短時間で行うことができるスタンプ台を提供することを目的とするものである。
【課題を解決するための手段】
【０００７】
上記課題を解決するためになされた本発明のスタンプ台は、基台と、この基台表面の平面部に着脱自在に載置されるインキを含浸したパッドとを有するスタンプ台であって、前記平面部の、前記パッドの左右側面の対向位置に前記パッドの左右側面を支える支持手段を設けたことを特徴とするものであり、これを請求項１に係る発明とする。
【０００８】
好ましい実施形態によれば、基台表面の平面部に、パッドの前端面を支える支持手段が設けられているものが好ましく、これを請求項２に係る発明とする。
【０００９】
また、その他の好ましい実施形態によれば、支持手段には、更に内側に向けて水平鍔部が設けられているものが好ましく、これを請求項３に係る発明とする。
【００１０】
また、その他の好ましい実施形態によれば、基台表面の平面部に、パッドの下方部を収納可能な凹部が形成されているものが好ましく、これを請求項４に係る発明とする。
【００１１】
また、その他の好ましい実施形態によれば、平面部を覆う蓋体を有しており、この蓋体の裏面に、パッドの前端面および後端面を支えるリブが形成されているものが好ましく、これを請求項５に係る発明とする。
【００１２】
また、その他の好ましい実施形態によれば、パッドの裏面に、薄板状のプレートが貼り付けられているものが好ましく、これを請求項６に係る発明とする。
【発明の効果】
【００１３】
請求項１に係る発明では、基台と、この基台表面の平面部に着脱自在に載置されるインキを含浸したパッドとを有するスタンプ台であって、前記平面部の、前記パッドの左右側面の対向位置に前記パッドの左右側面を支える支持手段を設けたので、印判を押し付けた時にパッドの側面が支えられていて変形が防止されることとなり、節度感のあるインキ転写感覚が得られ、また優れた操作性を発揮することができる。
【００１４】
また、請求項２に係る発明では、基台表面の平面部に、パッドの前端面を支える支持手段が設けられているものとしたので、パッドの両側面と前端面の３面で支えることとなり、パッドの変形をより確実に防止することができる。
【００１５】
また、請求項３に係る発明では、支持手段に、更に内側に向けて水平鍔部が設けられているものとしたので、パッド３の浮き上がりを防止することができる。
【００１６】
また、請求項４に係る発明では、基台表面の平面部に、パッドの下方部を収納可能な凹部が形成されているものとしたので、パッドの下方部が凹部内に格納されてより確実に位置決め固定することができ、またパッドの基台表面からの突出量を小さくしてコンパクトなスタンプ台を提供することができる。
【００１７】
また、請求項５に係る発明では、平面部を覆う蓋体を有しており、この蓋体の裏面に、パッドの前端面および後端面を支えるリブが形成されているものとしたので、蓋体を閉じた際には前記リブがパッドの前端面および後端面を支えて変形や位置ズレを防止することができる。
【００１８】
また、請求項６に係る発明では、パッドの裏面に、薄板状のプレートが貼り付けられているものとしたので、パッドの剛性が上がってパッドの挿入や引出しがやり易くなり、パッドの交換作業を簡単かつ短時間で行うことができる。
【図面の簡単な説明】
【００１９】
【図１】本発明の実施の形態を示す斜視図である。
【図２】図１のＡ−Ａ断面図である。
【図３】図１のＢ−Ｂ断面図である。
【図４】基台の斜視図である。
【図５】その他の基台の斜視図である。
【図６】蓋体の斜視図である。
【図７】その他のパッドの断面図である。
【発明を実施するための形態】
【００２０】
以下に、図面を参照しつつ本発明の好ましい実施の形態を示す。
図１は、本発明に係るスタンプ台の一例を示す斜視図であり、図２はそのＡ−Ａ断面図、図３はそのＢ−Ｂ断面図、図４は基台の斜視図である。図において、１は基台、２は蓋体、３は基台表面の平面部１ａに着脱自在に載置されるインキを含浸したパッドであり、以上の構成は従来のスタンプ台と基本的に同じである。
【００２１】
前記平面部１ａの、前記パッドの左右側面の対向位置には、パッド３の左右側面を支える一対の支持手段４、４が設けられている。この支持手段４は、パッド３の側面を支える垂直壁部４ａを設けたものであり、印判を押し付けた時にパッドの変形が生じるのを防止するものである。また、パッド３のセットは、先端部を垂直壁部４ａ、４ａ間に滑り込ませてスライド移動させるだけであり、簡単かつ短時間でセットすることができ、しかもインキが手に付着するのも極力避けることができ便利である。
【００２２】
更に、支持手段４は前記垂直壁部４ａとパッド３の上面を支える内側に向けた水平鍔部４ｂからなる断面逆Ｌ字状のものとして、パッド３の浮き上がりを防止することも好ましい。なお、図示のものでは支持手段４として、前記垂直壁部４ａと水平鍔部４ｂからなるものを示している。
【００２３】
また、図５に示されるように、基台表面の平面部１ａに、パッド３の前端を支える指示手段４を更に設けることが好ましい。この場合は、パッド３の側面に加えてパッドの前端面も支えることができ、パッド３をより確実に固定することができる。また、パッド３のセット時において、パッド３を前端の支持手段４に当接するまでスライド移動させればよいので、簡単にセットすることができる。ここで、「前」とはパッドを挿入する方向を指し、「後」とはその反対側を指す。
【００２４】
前記基台表面の平面部１ａには、パッド３の下方部を収納可能な凹部５が形成されている。この凹部５内へパッド３の下方部を格納することにより、パッド３を確実に位置決め固定してズレの防止を図ることができ、またパッド３が基台表面から突出する量を小さくしてコンパクトなスタンプ台とすることができる。
また、凹部５の前端側と後端側には補助凹部６が形成されており、パッド３の交換時において指を挿入してパッド３を摘まんで簡単に交換処理を行える構造になっている。
【００２５】
また、図６に示されるように、前記蓋体２の裏面には、パッド３の前端面および後端面を支えるリブ７、７が形成されている。これにより、図３に示されるように、蓋体２を閉じた場合に前記リブ７、７がパッド３の前端面および後端面を固定して、スタンプ台に衝撃が加わったり様々な向きになったとしても、パッド３が位置ズレないように保持することができる。
【００２６】
また、図７に示されるように、前記パッド３の裏面に、例えば合成樹脂製の薄板状のプレート８が貼り付けてあるものとすることもできる。この場合は、パッド３が形状自立性を発揮して交換作業をやり易くすることができ、また交換用パッドのパッケージも安価なものを使用することができる。
【００２７】
このような構造からなる本発明のスタンプ台では、平面部１ａの、前記パッド３の左右側面の対向位置に前記パッドの左右側面を支える支持手段４、４により、パッド３の側面を支えられているため、印判を押し付けた時にパッド３の側面の変形が防止されて優れた操作性を奏する。また、基台表面の平面部１ａに凹部５が形成されていて、この凹部５内にパッド３の下方部が収納されているので、印判を押し付けた時のパッド３の位置ズレが防止され、更に蓋体２の裏面にリブ７が形成されているので、スタンプ台を動かしてもパッド３の前端面および後端面がリブ７に支えられて位置ズレを生じることがない。
【００２８】
次に、パッド３に含浸しているインキ量が少なくなって新しいパッド３に交換する場合は、パッド３を指で摘まんでスライド移動させて引き抜き、新しいパッド３の先端部を支持手段４の垂直壁部４ａ、４ａ間に滑り込ませてスライド移動させるだけで、簡単かつ短時間でセットすることができる。しかも、パッド３の端部を指で摘まむだけであり、インキが手に付着するのも極力避けることができ便利である。
【符号の説明】
【００２９】
１  基台
１ａ  平面部
２  蓋体
３  パッド
４  指示手段
４ａ  垂直壁部
４ｂ  水平鍔部
５  凹部
６  補助凹部
７  リブ
８  プレート
【図１】
2020124809.tif 000003
【図２】
2020124809.tif 000004
【図３】
2020124809.tif 000005
【図４】
2020124809.tif 000006
【図５】
2020124809.tif 000007
【図６】
2020124809.tif 000008
【図７】
2020124809.tif 000009